(57)【要約】      （修正有）【課題】軽くて保温効果に優れ、汗ばむ事のない防寒寝具を提供する。【解決手段】複数枚重ねた不織布の間にアルミ金属箔シート又は熱反射シートを挟み込み、複数箇所に通気口を設けることを解決手段とした。軽くて暖かく、ベットリ湿気もない。そして皮膚の乾燥にも悩むことなく、寒い冬の安眠を確保できる大きな効果を得る。【選択図】図１
0003161249.tif 000002
【実用新案登録請求の範囲】
【請求項１】
発汗による湿気を排出する通気口を設けたことを特徴とする防寒寝具。
【請求項２】
防寒効果を高めるため、生体放射の熱線と遠赤外線を反射する金属薄膜を挟み込んだことを特徴とする防寒寝具。
【請求項３】
放湿時の放熱を防ぐための通気口を塞ぐ短冊状弁を設けたことを特徴とする防寒寝具。
【請求項４】
［請求項１］と［請求項２］を組み合わせてて成る防寒寝具の構成。
【請求項５】
［請求項１］と［請求項２］及び［請求項３］を組み合わせて成る防寒寝具の構成。
【考案の詳細な説明】
【考案の詳細な説明】
【技術分野】
【０００１】  本考案は防寒寝具に関するものである。
【背景技術】
【０００２】  本目的の市販商品と先願を調べると、宇宙服や耐火防火服と熱反射シートを用いた防寒服は存在する。【０００３】  その中で湿気対策をなされた唯一の商品は吸湿剤シリカゲルを寝具に散在しているが、乾燥の手段がない。【０００４】  「防寒寝具」で先願を見ると、両縁弧状切り込みを入れて肩部の防寒を施した［特許文献１］があるが、趣旨を異にする。【０００５】  又、「防寒シート」で先願を見ると、［特許文献２］があるが、発汗による湿気対策がない。【０００６】  更に他の「防寒シート」では建材分野で、本件とは趣旨を異にする。［特許文献３］【０００７】  特許文献
【特許文献１】  登録実用新案第  ３１１４８１１号
【特許文献２】  特許公開平  １１−１２３１３２号
【特許文献３】  特許公開平  ０９−２３８５８０号  実用新案公開平  ０７−００１２７９号  登録実用新案第  ３１４２５２９号  登録実用新案第  ３１２５５７２号  登録実用新案第  ３０４０３１７号
【考案が解決しようとする課題】
【０００８】  軽く保温効果が優れ、汗ばむ事のない防寒寝具の提供を課題とする。
【課題を解決するための手段】
【０００９】  保温効果が優れ、湿気ない防寒寝具を考案した。
【００１０】  複数枚重ねた不織布の間にアルミ金属箔シート又は熱反射シートを挟み込み、寝具掛布団とする。
【００１１】  就寝中、体から放射された体温や遠赤外線は従来、布団等寝具を通して外部へ放熱して消耗していた。
【００１２】  この熱線放熱を不織布の間に挟み込んだアルミ金属箔シート又は熱反射シートで反射させて防ぐことで防寒するのである。
【００１３】  この処置で、熱放散と共に汗の放散も防ぐため、発汗対策として排気口（以下通気口と言う）を設ける。
【００１４】  アルミ金属箔シート又は熱反射シートの位置がずれないように、周辺を両面テープで貼り付け固定する。
【００１５】  更に普通の布団では綿がずれないように、とじ糸でとじるのと同様に、本件でも要所要所をとじ糸でとじても良い。
【００１６】  湿気の通気口を規則的に複数箇所設けるのである。
【００１７】  綿を使用しないので、薄くて軽量の防寒寝具が実現できた。
【００１８】  アルミ金属箔シート又は熱反射シートを挟み込んだ、複数枚重ねた不織布に通気孔を設けて成る寝具掛布団を課題を解決するための手段とする。
【考案を実施するための形態】
【００１９】  以下、本考案の実施の形態を図示例に基づいて説明する。
【００２０】  アルミ金属箔シート又は熱反射シートの熱線反射率は９７％であり、因みに金が９８％、銀が９９％であることから見てもその効果は容易に推定できる。
【００２１】  アルミ金属箔シート又は熱反射シート（１）の位置ずれ防止にとじ糸を挙げたが、化繊不織布の場合、通気口（２）を例えば加熱ポンチ等で加工すれば孔のエッジが溶着し、とじ糸が不要にもなる。
【００２２】  更に、加熱ポンチで開けた通気口（２）は周辺エッジが固着して、通気口から不織布の繊維屑や金属箔のバリが出ないという効果も確認している。
【００２３】  通気口の配置は市松模様状や縞模様状など考えられるが、それに左右されるものではない。
【００２４】  考案者達の実施例では、通気口（２）の配置は市松模様状で実験確認をした。
【００２５】  又、写真［図１］にある通り考案者達の実施例では、通気口の配置は約１０センチ間隔で試したが、その寸法に左右されるものではない。
【００２６】  通気口（２）の大きさについて、考案者達は約１センチの直径としたが、大きくして孔数を減らすかその逆など、機能とデザインなど総合的に判断すればよい。
【００２７】  本考案が必要な冬場に於いては、周囲の湿度が低いので特に有効である。
【００２８】  適度な保温と保湿を確保するために、必要に応じて下記短冊保持帯（７）と短冊状弁（６）を設けることも提案する。
【００２９】  即ち、ここに用いる不織布又は腰の柔らかい他の布などでできた帯に通気口（２）のピッチで切り込みを入れて、櫛状短冊の帯を形成して、短冊保持帯（７）とした。
【００３０】  短冊保持帯（７）の短冊状弁（６）を用いて通気口（２）を１個飛び［図３］、２個飛びなど必要に応じて塞ぐことにより、好みの温度、湿度に調整するのである。
【００３１】  放湿効果が効き過ぎて、防寒効果が低減するのを防止するために、通気口を塞ぐ短冊条弁（６）を設けた。
【００３２】  短冊条弁は布片を帯状に連ねた細長い帯から成る。これを以下短冊保持帯（７）と呼ぶことにする。
【００３３】  短冊保持帯は防寒寝具［図１］の縦又は横方向の通気口列に、着脱可能なマジックテープやホック等の着脱具（８）で貼り付け使用するのである。
【００３４】  体の部位によっても、好みで上記の調整が出来る。
【００３５】  短冊状弁（６）の材質によっては、腰の柔らかさの都合で、その表裏と，短冊保持帯（７）に小着脱具（９）を具備して、通気口（２）の開か閉かを担保するように構成してもよい。
【００３６】  尚、写真［図１］の碁盤目の線条（３）は、製作の都合で通気口の位置決めに使用したもので、本考案に関わる特別の意味をなすものではない。
【考案の効果】
かかる考案で、軽くて暖かく、ベットリ湿気もない。そして皮膚の乾燥にも悩むことなく、寒い冬の安眠を確保できる大きな効果を得た。そして従来折角の体温をムダに放散していたことは恥に値する。重ねて暖房エネルギーが不要の要素は、省エネに留まらず、ＣＯやＣＯ２の排出を止めた事にも評価されるべきものがある。
【図面の簡単な説明】
【図１】  一部めくり上げた本考案の部分写真
【図２】  本考案の部分断面図
【図３】  短冊帯と短冊条弁の図
【図４】  短冊帯と短冊条弁に小着脱具を具備した状態の図
【符号の説明】  １，  アルミ金属箔シート又は熱反射シート
２，  通気口
３，  碁盤目の線条
４，  両面テープ
５，  複数枚重ねた不織布
６，  短冊状弁
７，  短冊保持帯
８，  着脱具
９，  小着脱具
【図１】
0003161249.tif 000003
【図２】
0003161249.tif 000004
【図３】
0003161249.tif 000005
【図４】
0003161249.tif 000006
【手続補正書】
【提出日】平成22年5月10日(2010.5.10)
【手続補正１】
【補正対象書類名】実用新案登録請求の範囲
【補正対象項目名】全文
【補正方法】変更
【補正の内容】
【実用新案登録請求の範囲】
【請求項１】
毛布状の掛布団寝具に於いて、発汗による湿気を排出する通気口を設けたことを特徴とする防寒寝具。
【請求項２】
生体放射の熱源と遠赤外線を反射する金属薄膜を上側不織布と、下側不織布に挟み込み、通気口を塞ぐ短冊状弁を設けたことを特徴とする請求項１に記載の防寒寝具。
【手続補正２】
【補正対象書類名】明細書
【補正対象項目名】００３３
【補正方法】変更
【補正の内容】
【００３３】  短冊保持帯は防寒寝具［図１］の縦又は横方向の通気口列に、着脱可能なマジックテープ（登録商標）やホック等の着脱具（８）で貼り付使用するのである。